(57)【要約】【課題】取扱い困難な媒体に関する画像耐久性の強化に有用な印刷システムを提供する。【解決手段】画像耐久性を強化するための印刷システム１００は、媒体シート１５０，１６０，１７０に画像を付与するように構成された少なくとも１つの感光体と１１０、媒体シート１５０等を定着させるように構成された少なくとも１つの定着機構１２０と、媒体シート１５０等を反転させるように構成された少なくとも１つの反転機構１３０と、他の画像が媒体シート１５０等に付与される前、またはあらかじめ選択された副次的画像を媒体シート１５０等に付与した後、少なくとも１つの定着機構１２０を用いて媒体シート１５０等を２回定着させるように、少なくとも１つの感光体１１０と、少なくとも１つの定着機構１２０と、少なくとも１つの反転機構１３０とを制御するように構成された制御装置１８０と、を備える。【選択図】図１
2010039487.tif 000002
【特許請求の範囲】
【請求項１】
媒体シートに画像を付与するように構成された少なくとも１つの感光体と、
媒体シートを定着させるように構成された少なくとも１つの定着機構と、
媒体シートを反転させるように構成された少なくとも１つの反転機構と、
他の画像が媒体シートに付与される前、またはあらかじめ選択された副次的画像を媒体シートに付与した後、少なくとも１つの定着機構を用いて媒体シートを２回定着させるように、少なくとも１つの感光体と、少なくとも１つの定着機構と、少なくとも１つの反転機構とを制御するように構成された制御装置と、
を備える、画像耐久性を強化するための印刷システム。
【請求項２】
媒体シートを少なくとも１つの定着機構へ搬送するために用いられる少なくとも１つの二重経路ループをさらに備える、請求項１のシステム。
【請求項３】
制御装置が、少なくとも１つの定着機構を用いて媒体シートを定着させた後に、少なくとも１つの感光体を用いて媒体シートに画像を付与させることを特徴とする、請求項１のシステム。
【請求項４】
少なくとも１つの定着機構を用いて媒体シートを定着させた後に、少なくとも１つの反転機構を用いて媒体シートを反転させることを特徴とする、請求項３のシステム。
【発明の詳細な説明】
【技術分野】
【０００１】
本開示は、概して、作像システムにおける画像耐久性の強化に関する。より詳細には、本開示は、作像システムにおける取扱い困難な媒体に関する画像耐久性の強化に有用なシステムおよび方法を記述するものである。
【背景技術】
【０００２】
複写機および／またはプリンタなどの作像システムにおける定着の要件は、様々な用紙および処理媒体によって大きく異なる。前印刷された用紙および／または重量が非常に大きいおよび／または粗い用紙など最も取扱い困難な用紙を扱うように設計された定着システムは、扱いが容易な９０％の用紙を扱うように設計されたシステムより大幅に費用がかかるとともに大きな空間を占有するであろう。
【発明の概要】
【発明が解決しようとする課題】
【０００３】
この問題に対処する従来の方法は、取扱い困難な用紙に対して定着機構を低速で動作させることおよび／または定着機構の温度を上昇させることを含んでいる。しかし、定着機構をより低速で動作させるためには、より複雑なソフトウェアの導入および／または複数のサブシステムに関する駆動系の変更が必要となることがある。さらに、定着機構の温度を上昇させると、改善の機会が制限されたり、部品寿命が短くなるかもしれない。
【課題を解決するための手段】
【０００４】
本発明に係る画像耐久性を強化するための印刷システムは、媒体シートに画像を付与するように構成された少なくとも１つの感光体と、媒体シートを定着させるように構成された少なくとも１つの定着機構と、媒体シートを反転させるように構成された少なくとも１つの反転機構と、他の画像が媒体シートに付与される前、またはあらかじめ選択された副次的画像を媒体シートに付与した後、少なくとも１つの定着機構を用いて媒体シートを２回定着させるように、少なくとも１つの感光体と、少なくとも１つの定着機構と、少なくとも１つの反転機構とを制御するように構成された制御装置と、を備える。
【０００５】
以下の図面は本明細書の一部分をなすとともに、本発明の或る態様をさらに示すために包含されており、本発明を限定ないし画定するために用いるべきでない。これら図面のうち１以上を本明細書で提示する実施形態の説明とともに参照することにより、本発明をより良く理解することができる。結果として、添付図面に関連して与えられる以下の説明を参照することにより、本実施形態およびそのさらなる特徴および利点のより完全な理解を得ることができる。図面において、参照番号において最も左の有効数字は、それぞれの参照番号が現われる最初の図面を示す。
【０００６】
しかし、添付図面は本発明の代表的な実施形態のみを示しており、本発明は他の同等に効果的な実施形態を導くものなので、本発明の範囲を限定するものと見なすべきでないことが留意されたい。
【図面の簡単な説明】
【０００７】
【図１】図１は、本開示によるシステムの様々な例示的実施形態のうち或る特定の例を概略的に示す。
【図２】図２は、本開示によるシステムの様々な例示的実施形態のうち別の特定の例を概略的に示す。
【図３】図３は、本開示による方法の様々な例示的実施形態のうち或る特定の例を概略的に示す。
【図４】図４は、本開示による方法の様々な例示的実施形態のうち別の特定の例を概略的に示す。
【発明を実施するための形態】
【０００８】
本発明の例示的実施形態を以下詳細に説明する。明瞭化のため、本明細書では実際の実現方式に関するすべての特徴が記述されることはない。当然ながら、そのような実際の実施形態の開発において、実現方式ごとに変化するシステムおよび業務に関する制約条件との適合など、開発者の具体的目標を達成するため、実現方式特有の多くの決定を行なわなければならないことが了解されよう。さらに、そのような開発努力が複雑かつ時間のかかるものであっても、本開示の利益を享受する通常の当業者にとって定型業務であることは了解されよう。
【０００９】
例えば図１に示すように、様々な例示的実施形態において、画像耐久性を強化するシステム１００は、媒体シート１５０に画像を付与するように構成された少なくとも１つの感光体１１０を備えてもよい。システム１００は、媒体シート１５０、１６０を定着させるように構成された少なくとも１つの定着機構１２０を備えてもよい。例えば図１に示すように、媒体シート１５０はシステム１００に進入し、媒体シート１６０は少なくとも１つの定着機構１２０をすでに通過しており、媒体シート１７０はシステム１００を出るところである。システム１００は、媒体シート１６０を反転させるように構成された少なくとも１つの反転機構１３０を備えてもよい。システム１００は、他の画像が媒体シート１６０に付与される前、またはあらかじめ選択された次の又は副次的な画像を媒体シート１５０に付与した後、少なくとも１つの定着機構１２０を用いて、媒体のシートを２回定着させるように少なくとも１つの感光体１１０と、少なくとも１つの定着機構１２０と、少なくとも１つの反転機構１３０とを制御するように構成された制御装置１８０を備えてもよい。例えば図１に示すように、様々な例示的実施形態において、画像耐久性を強化するシステム１００は、少なくとも１つの定着機構１２０の出力を少なくとも１つの感光体１１０に対する入力に実効的に接続する少なくとも１つの二重経路ループ１４０をさらに備えてもよい。
【００１０】
例えば図２に示すように、様々な例示的実施形態において、画像耐久性を強化するシステム１００は、媒体シート１５０、１６０に画像を付与するように構成された少なくとも２つの感光体１１０を備えてもよい。システム１００は、媒体シート１５０、１６０を定着させるように構成された少なくとも２つの定着機構１２０を備えてもよい。例えば図２に示すように、媒体シート１５０はシステム１００に進入し、媒体シート１６０は少なくとも２つの定着機構１２０の１つをすでに通過しており、媒体シート１７０はシステム１００を出るところである。システム１００は、媒体シート１６０を反転させるように構成された少なくとも１つの反転機構１３０を備えてもよい。システム１００は、他の画像が媒体シート１６０に付与される前、またはあらかじめ選択された次の又は副次的な画像を媒体シート１５０に付与した後、少なくとも２つの定着機構１２０を用いて、媒体シートを２回定着させるように少なくとも２つの感光体１１０と、少なくとも２つの定着機構１２０と、少なくとも１つの反転機構１３０とを制御するように構成された制御装置１８０を備えてもよい。
【００１１】
図３は、本開示による、画像耐久性の強化に関して有用な方法３００の様々な例示的実施形態のうち或る特定の例を概略的に示す。符号３１０で示すように、方法３００は、少なくとも１つの感光体１１０と、少なくとも１つの定着機構１２０と、少なくとも１つの反転機構１３０と、少なくとも１つの定着機構１２０の出力を少なくとも１つの感光体１１０に対する入力に実効的に接続する少なくとも１つの二重経路ループ１４０とを備えるシステム１００を用いて媒体シート１５０に画像を付与することを含む。符号３２０で示すように、方法３００は、他の画像が媒体シート１６０に付与される前に少なくとも１つの定着機構１２０を用いて媒体シート１５０、１６０を少なくとも２回定着させることを含む。
【００１２】
様々な例示的実施形態において、符号３１０で示すように、媒体シート１５０に画像を付与することは、少なくとも１つの定着機構１２０を用いて媒体シート１５０を定着させる前に少なくとも１つの感光体１１０を用いて媒体シート１５０に画像を付与することをさらに含む。これらの例示的実施形態においては、少なくとも１つの定着機構１２０を用いて媒体シート１５０を定着させた後、媒体シート１６０は少なくとも１つの反転機構１３０を迂回することにより反転されない。これらの例示的実施形態において、少なくとも１つの反転機構１３０を迂回させた後、少なくとも１つの定着機構１２０を用いて媒体シート１６０を再び定着させる前に、少なくとも１つの感光体１１０による媒体シート１６０への画像の再付与は行なわれない。例えば図１に示すように、これらの例示的実施形態においては、少なくとも１つの二重経路ループ１４０を用いて媒体シート１６０が少なくとも１つの定着機構１２０に搬送される。これらの例示的実施形態において、定着を２回行なった後、媒体シート１７０はシステム１００から出る。例えば図２に示すように、代替的例示的実施形態では、媒体シート１６０を少なくとも１つの定着機構１２０に搬送するために少なくとも１つの二重経路ループ１４０は使用されない。これらの代替的例示的実施形態において、定着を２回行なった後、媒体シート１７０はシステム１００から出る。
【００１３】
様々な例示的実施形態において、符号３１０で示すように、媒体シート１６０に画像を付与することは、少なくとも１つの定着機構１２０を用いて媒体シート１５０を定着させた後に少なくとも１つの感光体１１０を用いて媒体シート１６０に画像を付与することをさらに含む。これらの例示的実施形態においては、少なくとも１つの定着機構１２０を用いて媒体シート１５０を定着させた後、媒体シート１６０は少なくとも１つの反転機構１３０を用いて反転される。これらの例示的実施形態において、少なくとも１つの反転機構１３０を用いた後、少なくとも１つの定着機構１２０を用いて媒体シート１６０を再び定着させる前に、少なくとも１つの感光体１１０により媒体シート１６０に画像が付与される。例えば図１に示すように、これらの例示的実施形態において、少なくとも１つの二重経路ループ１４０を用いて媒体シート１６０が少なくとも１つの定着機構１２０へ搬送される。これらの例示的実施形態において、定着を２回行なった後、媒体シート１７０はシステム１００から出る。
【００１４】
図４は、本開示による、画像耐久性の強化に関して有用な方法４００の様々な例示的実施形態のうちある特定の例を概略的に示す。方法４００は、例えば符号４１０で示すように、少なくとも２つの感光体１１０と、少なくとも２つの定着機構１２０と、少なくとも１つの反転機構１３０とを備える図２に示すようなシステム１００を用いて媒体シートに画像を付与することを含む。符号４２０で示すように、方法４００は、他の画像が媒体シート１６０に付与される前に、少なくとも２つの定着機構１２０を用いて媒体シート１５０、１６０を少なくとも２回定着させることを含む。
【００１５】
様々な例示的実施形態において、符号４１０で示すように、媒体シート１５０に画像を付与することは、少なくとも１つの定着機構１２０を用いて媒体シート１５０を定着させる前に、少なくとも２つの感光体１１０の１つを用いて媒体シート１５０に画像を付与することをさらに含む。これらの例示的実施形態においては、少なくとも２つの定着機構１２０の１つを用いて媒体シート１５０を定着させた後、媒体シート１６０は少なくとも１つの反転機構１３０を迂回することにより反転されない。これらの例示的実施形態において、少なくとも１つの反転機構１３０を迂回させた後、少なくとも２つの定着機構１２０の１つを用いて媒体シート１６０を再び定着させる前に、少なくとも２つの感光体１１０のいずれかにより媒体シート１６０に画像が再び付与される。これらの例示的実施形態において、定着を２回行なった後、媒体シート１７０はシステム１００から出る。
【００１６】
様々な例示的実施形態において、符号４１０で示すように、媒体シート１６０に画像を付与することは、少なくとも２つの定着機構１２０のいずれかを用いて媒体シート１５０を定着させた後に少なくとも２つの感光体１１０の１つを用いて媒体シート１６０に画像を付与することをさらに含む。これらの例示的実施形態においては、少なくとも２つの定着機構１２０の１つを用いて媒体シート１５０を定着させた後、媒体シート１６０は少なくとも１つの反転機構１３０を迂回することにより反転されない。これらの例示的実施形態において、少なくとも１つの反転機構１３０を迂回させた後、少なくとも２つの定着機構１２０の１つを用いて媒体シート１６０を再び定着させる前に、少なくとも２つの感光体１１０のいずれかにより媒体シート１６０に画像が付与される。これらの例示的実施形態において、定着を２回行なった後、媒体シート１７０はシステム１００から出る。
【００１７】
様々な例示的実施形態において、符号４１０で示すように、媒体シート１６０に画像を付与することは、少なくとも２つの定着機構１２０のいずれかを用いて媒体シート１５０を定着させた後に、少なくとも２つの感光体１１０の１つを用いて媒体シート１６０に画像を付与することをさらに含む。これらの例示的実施形態においては、少なくとも２つの定着機構１２０の１つを用いて媒体シート１５０を定着させた後、媒体シート１６０は少なくとも１つの反転機構１３０を用いて反転される。これらの例示的実施形態において、少なくとも１つの反転機構１３０を用いた後、少なくとも２つの定着機構１２０の１つを用いて媒体シート１６０を再び定着させる前に、少なくとも２つの感光体１１０のいずれかにより媒体シート１６０に画像が付与される。これらの例示的実施形態において、定着を２回行なった後、媒体シート１７０はシステム１００から出る。
【００１８】
様々な例示的実施形態において、前印刷された用紙および／または重量が非常に大きく粗い用紙など取扱い困難な用紙に関する画像耐久性は、用紙を定着機構１２０に２回通過させることにより強化改善が可能である。これは例えば図１に示すように、システム１００を含む複写機および／またはプリンタなどの機器を、シート１６０を反転することなく機器の二重経路ループ１４０を用いる特別な方式で動作させることにより実現可能である。シート１６０の非反転が機器に関するソフトウェアで実現され、および／または制御装置１８０により制御されるように、反転機構１３０の迂回路が機器のハードウェア内にすでに存在していてもよい。システム１００の最初の通過の際に、感光体１１０によりシート１５０に画像を付与してもよい。システム１００の２回目の通過の際には、感光体１１０によりシート１６０に画像を付与してなくてもよい。２回目の通過の際のシート１６０の非印刷は、機器に関するソフトウェアで実現し、および／または制御装置１８０により制御してもよい。シート１５０、１６０の画像側は、システム１００の両方の通過の際に定着機構１２０のロールに対向させてもよく、これにより定着機構１２０のニップ内における滞留時間が２倍になる。システム１００の定着機構１２０に対する２回の通過の間に何らかの冷却があってもよいが、その結果得られるシート１７０上の画像耐久性は、定着機構１２０を１回だけ通る単純なコピーおよび／またはプリントに対して大幅な強化改善が可能である。この特別な方式は、機器の主要な動作方式として意図されていなくてもよい。それでも、この特別な方式により、機器のハードウェアに対する変更なしに、機器が特別なジョブを実行することができる。
【００１９】
代替的例示的実施形態において、別の特別な方式も、シート１６０を反転することなしに機器の二重経路ループ１４０を用いてもよい。しかしながら、システム１００の最初の通過の際には、感光体１１０によりシート１５０に画像を付与しなくてもよい。システム１００の２回目の通過の際に、感光体１１０によりシート１６０に画像を付与してもよい。システム１００の定着機構１２０に対する２回の通過の間に何らかの冷却があってもよいが、その結果得られるシート１７０上の画像耐久性は、定着機構１２０を１回だけ通る単純なコピーおよび／またはプリントに対して、なお測定可能な程度に強化改善することができる。
【００２０】
例えば図２に示すように、様々な例示的実施形態において、システム１００は、ゼロックス（Ｘｅｒｏｘ）社のヌヴェラ（Ｎｕｖｅｒａ）２８８など、２基の印刷エンジン２００、２１０が直列に連結されたタンデム形またはＴＩＰＰアーキテクチャを備えてもよい。シートの一方の側を第１の印刷エンジン２００で印刷し、シートの第２の側を第２の印刷エンジン２１０で印刷する両面ジョブを印刷するように、そのようなアーキテクチャを最適化してもよい。しかし、そのようなアーキテクチャは、印刷エンジン２００、２１０の間の反転機構１３０でシートを反転させず、第２印刷エンジン２１０内の感光体１１０を用いてシート１６０に画像を付与しない特別な方式で運転することにより、取扱い困難な用紙に関する画像耐久性を改善強化することができる。シート１５０、１６０の画像側は、システム１００において定着機構１２０のロールに２回対向させてもよく、これにより定着機構１２０のニップ内における滞留時間が２倍になる。システム１００の２つの定着機構１２０の間に何らかの冷却があってもよいが、その結果得られるシート１７０上の画像耐久性は、定着機構１２０を１回だけ通る単純なコピーおよび／またはプリントに対して大幅に強化改善が可能である。この特別な方式は、機器の主要な動作方式として意図されていなくてもよい。それでも、この特別な方式により、機器のハードウェアに対する変更なしに、機器が特別なジョブを実行することができる。
【００２１】
代替的例示的実施形態において、別の特別な方式は、第１印刷エンジン２００の感光体１１０を用いてシート１６０に画像を付与しなくてもよく、印刷エンジン２００、２１０の間の反転機構１３０でシート１６０を反転させなくてもよく、第２印刷エンジン２１０内の感光体１１０を用いてシート１６０に画像を付与してもよい。システム１００の２つの定着機構１２０の間に何らかの冷却があってもよいが、その結果得られるシート１７０上の画像耐久性は、定着機構１２０を１回だけ通る単純なコピーおよび／またはプリントに対して、なお測定可能な程度に強化改善が可能である。
【００２２】
さらに他の代替的例示的実施形態において、さらに別の特別な方式は、第１印刷エンジン２００の感光体１１０を用いてシート１６０に画像を付与しなくてもよく、印刷エンジン２００、２１０の間の反転機構１３０でシート１６０を反転させてもよく、第２印刷エンジン２１０内の感光体１１０を用いて、反転したシート１６０に画像を付与してもよい。システム１００の２つの定着機構１２０の間に何らかの冷却があってもよいが、その結果得られるシート１７０上の画像耐久性は、定着機構１２０を１回だけ通る単純なコピーおよび／またはプリントに対して、なお測定可能な程度に強化改善が可能である。
【００２３】
様々な例示的実施形態において、前印刷された用紙および／または重量が非常に大きく粗い用紙など取扱い困難な用紙に関する画像耐久性は、シートを反転することなく二重経路ループ１４０にシートを通すことが困難な場合でも、用紙を定着機構１２０に２回通すことにより強化改善が可能である。これは例えば図１に示すように、システム１００を含む複写機および／またはプリンタなどの機器を、シート１６０を反転させて機器の二重経路ループ１４０を用いる別の特別な方式で動作させることにより実現可能である。システム１００の最初の通過の際には、感光体１１０によりシート１５０に画像を付与しなくてもよい。シート１６０を定着機構１２０に１回通した後、反転機構１３０を用いて反転させ、二重経路ループ１４０に通してもよい。システム１００の２回目の通過の際に、感光体１１０によりシート１６０に画像を付与してもよく、シート１６０は定着機構１２０を再び通過する。１回目の通過の際のシート１６０の非印刷および２回目の通過の際のシート１６０の印刷は、機器に関するソフトウェアで実現し、および／または制御装置１８０により制御してもよい。定着機構１２０の最初の通過の際に定着は行なわれないが、用紙は予熱され、定着機構１２０を１回だけ通る単純なコピーおよび／またはプリントに対して、定着機構１２０の２回目の通過の間により高い温度が実現されるとともに、その結果得られるシート１７０上の画像耐久性が、なお測定可能な程度に強化改善されるようになっている。この特別な方式は、機器の主要な動作方式として意図されていなくてもよい。それでも、この特別な方式により、機器のハードウェアに対する変更なしに、機器が特別なジョブを実行することができる。
【００２４】
様々な例示的実施形態において、前印刷された用紙および／または重量が非常に大きく粗い用紙など取扱い困難な用紙に関する画像耐久性は、用紙の一方の側の画像が用紙の他方の側の副次的、低重要性および／または低重大性の画像よりも主要、重要性が高い、および／または重大性が高い両面印刷において、用紙を定着機構１２０に２回通過させることにより強化改善が可能である。主要な画像はオペレータにより前もって選択してもよく、すなわち副次的画像も前もって選択してもよい。これは例えば図１に示すように、システム１００を含む複写機および／またはプリンタなどの機器を、シート１６０を反転させて機器の二重経路１４０を用いる別の特別な方式で動作させることにより実現できる。システム１００の最初の通過の際に、感光体１１０によりシート１５０に、前もって選択された副次的画像を付与してもよい。シート１６０を定着機構１２０に１回通した後、反転機構１３０を用いて反転させ、二重経路ループ１４０に通してもよい。システム１００の２回目の通過の際に、感光体１１０によりシート１６０に主要な画像を付与してもよく、シート１６０は定着機構１２０を再び通過する。１回目の通過の際のシート１５０の印刷のための副次的画像の事前選択および２回目の通過の際のシート１６０の主要画像の印刷は、機器に関するソフトウェアで実現し、および／または制御装置１８０により制御してもよい。定着機構１２０の最初の通過の際に、前もって選択された副次的画像の定着が行なわれるが、用紙は予熱され、定着機構１２０を１回だけ通る単純なコピーおよび／またはプリントに対して、定着機構１２０の２回目の通過の間により高い温度が実現されるとともに、その結果得られるシート１７０上の画像耐久性が、なお測定可能な程度に強化改善されるようになっている。この特別な方式は、機器の主要な動作方式として意図されていなくてもよい。それでも、この特別な方式により、機器のハードウェアに対する変更なしに、機器が特別なジョブを実行することができる。
【００２５】
同様に、様々な例示的実施形態において、前印刷された用紙および／または重量が非常に大きく粗い用紙など取扱い困難な用紙に関する画像耐久性は、用紙の一方の側の画像が用紙の他方の側の副次的画像より重要性および／または重大性が高いタンデム形またはＴＩＰＰアーキテクチャを用いた両面印刷において、用紙を定着機構１２０に２回通過させることにより強化改善が可能である。主要な画像はオペレータにより前もって選択してもよく、すなわち副次的画像も前もって選択してもよい。これは例えば図２に示すように、システム１００を含む複写機および／またはプリンタなどの機器を、シート１６０を反転させて機器の２基の印刷エンジン２００、２１０を用いる別の特別な方式で動作させることにより実現可能である。第１印刷エンジン２００の感光体１１０によりシート１５０に、前もって選択された副次的画像を付与してもよい。シート１６０を第１印刷エンジン２００の定着機構１２０に通した後、反転機構１３０を用いて反転させてもよい。第２印刷エンジン２１０の感光体１１０によりシート１６０に主要な画像を付与してもよく、シート１６０は第２印刷エンジン２１０の定着機構１２０を通過する。第１印刷エンジン２００におけるシート１５０の印刷のための副次的画像の事前選択および第２印刷エンジン２１０におけるシート１６０の主要画像の印刷は、機器に関するソフトウェアで実現し、および／または制御装置１８０により制御してもよい。第１印刷エンジン２００の定着機構１２０の通過の際に、前もって選択された副次的画像の定着が行なわれるが、用紙は予熱され、定着機構１２０を１回だけ通る単純なコピーおよび／またはプリントに対して、第２印刷エンジン２１０の定着機構１２０の通過の間により高い温度が実現されるとともに、その結果得られるシート１７０上の画像耐久性が、なお測定可能な程度に強化改善されるようになっている。この特別な方式は、機器の主要な動作方式として意図されていなくてもよい。それでも、この特別な方式により、機器のハードウェアに対する変更なしに、機器が特別なジョブを実行することができる。
【００２６】
本開示の利益を享受する当業者にとって容易に明らかなように、様々な例示的実施形態において、上記様々な特別な方式を有用に組み合わせることが可能である。例えば、図２に示すように、双方の印刷エンジン２００、２１０が二重経路ループ１４０を有する場合、印刷エンジン２００、２１０の間の反転機構１３０で反転を行ない、各二重経路ループ１４０を用いて媒体シート１６０が各印刷エンジン２００、２１０の定着機構１２０を２回通過する特別な方式で各印刷エンジン２００、２１０を運転してもよく、その結果、媒体シート１７０の画像耐久性が強化された両面印刷が実現される。
【００２７】
本開示では、画像耐久性を強化するために有用な装置、システムおよび方法が開示される。様々な態様において、本開示による装置は、画像耐久性強化手段と、画像耐久性強化手段有効化手段とを備えてもよく、画像耐久性強化手段および画像耐久性強化手段有効化手段の双方は、本明細書で記述される対応する構造および／または材料およびその均等物を包含している。
【００２８】
様々な他の態様において、本開示によるシステムは、画像耐久性強化手段と、画像耐久性強化手段有効化手段と、画像耐久性強化手段利用手段とを備えてもよく、画像耐久性強化手段、画像耐久性強化手段有効化手段および画像耐久性強化手段利用手段のすべては、本明細書で記述される対応する構造および／または材料およびその均等物を包含している。様々なさらに他の態様において、本開示による方法は、画像耐久性強化ステップと画像耐久性強化ステップ有効化ステップとを含んでもよく、画像耐久性強化ステップおよび画像耐久性強化ステップ有効化ステップの双方は、本明細書で記述される対応する行為およびその均等物を包含している。
【００２９】
これら特定の実施形態は、本明細書の教示の利益を享受する当業者にとって明白な、多様であるが均等の方式により対象の変更および実施が可能なので例証にすぎない。さらに、以下の特許請求の範囲における記述を除いて、本明細書に示される構成または設計の詳細に対する制限は意図されない。したがって、これら特定の例示的実施形態は変形または変更が可能であることは明白であり、そのような変更はすべて本発明の範囲および精神の内にあるものと見なされる。
【符号の説明】
【００３０】
１００  画像耐久性強化システム、  １１０  感光体、  １２０  定着機構、１３０  反転機構、  １４０  二重経路ループ、  １５０  １６０  １７０  媒体シート、  １８０  制御装置、  ２００  ２１０  印刷エンジン。
【図１】
2010039487.tif 000003
【図２】
2010039487.tif 000004
【図３】
2010039487.tif 000005
【図４】
2010039487.tif 000006